(57)【要約】【課題】磁性体を内含し、その磁性体を磁気力で変位させることで画面にその磁性体を表示する表示体に用いられる磁気的な筆記具に関し、煩雑な動作を行わずに磁気力の特性を利用して容易に点線や破線を描画可能な筆記具を提供する。【解決手段】筆記具本体１１と、その筆記具本体１１の先端に位置するペン先保持部１３によって保持されているペン先部１２とから形成され、前記ペン先部１２が、鉄芯等からなる磁性体１２１と、その磁性体１２１に巻装した絶縁銅線のコイル１２２とからなる電磁石で構成されるとともに、前記コイル１２２が前記ペン先部１２へ電流を供給する電源部Ａに、電流の流れる方向を制御する制御部Ｂを介して接続された筆記具１を構成した。【選択図】図２
2004299233.tif 000002
【特許請求の範囲】
【請求項１】
一方の磁極と他方の磁極とに相異なる色を施した磁性体を色表示要素として内含し、その色表示要素を磁気力で変位させることで、画面に前記色表示要素を表出し得る表示体に使用する筆記具であって、筆記具本体と、その筆記具本体に設けられ一方の磁極と他方の磁極とが交互に表出するペン先部とを備えてなることを特徴とする筆記具。
【請求項２】
前記ペン先部が、電磁石を主体に構成されたものであって、前記電磁石へ電流を供給する電源部と、電流の方向を制御する制御部とを備えたことを特徴とする請求項１記載の筆記具。
【請求項３】
前記ペン先部が、前記表示体との転接により転動する永久磁石を主体に構成されたものであって、そのペン先部における一方の磁極を帯びている部分と他方の磁極を帯びている部分とがそのペン先部の転動に伴って交互にその表示体に転接するようにしたことを特徴とする請求項１記載の筆記具。
【請求項４】
磁性体と流体を内含し、その磁性体を磁気力で変位させることで、画面に前記磁性体を表出し得る表示体に使用する筆記具であって、筆記具本体と、その筆記具本体に設けられ、間欠的に磁気力を表出するペン先部とを備えてなることを特徴とする筆記具。
【請求項５】
前記ペン先部が、電磁石を主体に構成されたものであって、前記電磁石へ電流を供給する電源部と、電源が交互に入り状態と切り状態となるように制御する制御部を備えたことを特徴とする請求項４記載の筆記具。
【請求項６】
前記ペン先部が、磁気力表出部と磁気力非表出部とを有し前記表示体との転接により転動し得るものであり、その磁気力表出部とその磁気力非表出部とがそのペン先部の転動により交互にその表示体に転接するようにしたことを特徴とする請求項４記載の筆記具。
【請求項７】
前記ペン先部が、永久磁石を主体に構成されたものであって、その永久磁石の表面を部分的に非透磁性材料で被覆することで、非被覆されている部分を磁気力表出部とし、被覆されている部分を前記磁気力非表出部としたことを特徴とする請求項６記載の筆記具。
【発明の詳細な説明】
【０００１】
【発明の属する技術分野】
本発明は磁性体を内含し、その磁性体を磁気力で変位させることで画面に磁性体を表出し得る表示体に使用する筆記具に関する。
【０００２】
【従来の技術】
磁性体を内含し、その磁性体を磁気力で変位させることで画面にその磁性体を表示する表示体に、先端部に磁気力を表出する永久磁石を埋め込んでいる筆記具を利用して図線を描くことが知られている。
【０００３】
具体的に説明すれば、例えば、内部をハニカム構造で区画し、その区画内にＳ極側に白色、Ｎ極側に緑色を施した磁性体を内含し、少なくとも表面側を、透光性を有する表面部材により構成し、内含されている磁性体のＮ極側が表面側に向くように配置されている表示体が開発されている。この表示体の表面に、永久磁石のＮ極側が最先端部となるようにした筆記具を近づけると、その永久磁石の磁気力に反応してその区画内の磁性体のＳ極側が表面部材側を向くように反転し、その磁性体が表面部材側に引き寄せられることで、緑色（Ｎ極側）の色素が表出している表示体の中で、白色（Ｓ極側）の色素が目視可能に表出される。そのため、その筆記具を表面部材に沿って移動させることで、この表示体に図線を描くことが出来る。
【０００４】
また、内部をハニカム構造で区画し、その区画内に粘性の流体に色素が施された磁性体を内含し、少なくとも表面側を透光性を有する表面部材により構成した表示体も知られている。この表示体の表面に、永久磁石が埋め込まれた筆記具の先端部を近づけると、磁性体が永久磁石の磁気力に反応して引き寄せられ、表示体の表面部材側に移動することで磁性体が目視可能に表出されることになる。そのため、その筆記具を表面部材に沿って移動させることで、この表示体に図線を描くことが出来る。
【０００５】
このような表示体に図線を描く際の筆記具として、例えば、特許文献１に示すように、ペン先を弾性磁石で形成し、前端を肉薄に形成するとともに先端に向かって細くしたものが知られている。この筆記具によれば、表示体にペン先を押し当てるとペン先が撓んで表示体とペン先とが接触する面積がその押し当てる力に比例して太くなったり細くなったりする。そのため、太さを自由にコントロールすることができる。また、ペン先の一端部を細く、他端部を太く形成し、それらを入れ替え可能に収納することで、細線と太線とを使用者が任意に選択することも可能となる。
【０００６】
【特許文献１】
特開平７−３０９０９６号公報
【０００７】
【発明が解決しようとする課題】
上述した筆記具によれば、描かれる線の太さを使用者が任意にコントロールすることは可能である。しかし、この筆記具で表示体に対して点を連ねてできた点線や破線を描画する場合には、表示体の点を描画する地点に筆記具を接触させ、その地点から次の点を描画する地点までの区間について筆記具を表示体から離し、その次の描画する地点で筆記具を表示体に接触させるという工程を繰り返すことになり、鉛筆で紙に点線や破線を描画する場合と何ら描画方法が変わらず、使用者はその煩雑な動作を強いられることになる。
【０００８】
本発明は、磁性体を内含し、その磁性体を磁気力で変位させることで画面にその磁性体を表示する表示体に用いられる磁気的な筆記具の改良に関するものであり、煩雑な動作を行わずに磁気力の特性を利用して容易に点線や破線を描画可能な筆記具を提供することを目的としている。
【０００９】
【課題を解決するための手段】
本発明は、前記目的を達成する為に請求項１の発明に係る筆記具を、一方の磁極と他方の磁極とに相異なる色を施した磁性体を色表示要素として内含し、その色表示要素を磁気力で変位させることで、画面に前記色表示要素を表出し得る表示体に使用する筆記具であって、筆記具本体とその筆記具本体に設けられ、一方の磁極と他方の磁極とが交互に表出するペン先部とを備えてなることとしてある。
【００１０】
次いで、請求項２の発明に係る筆記具を、請求項１記載の筆記具において、前記ペン先部が電磁石を主体に構成されたものであって、前記電磁石へ電流を供給する電源部と電流の方向を制御する制御部とを備えたこととしてある。
【００１１】
更に、請求項３の発明に係る筆記具を、請求項１記載の筆記具において、前記ペン先部が前記表示体との転接により転動する永久磁石を主体に構成されたものであって、そのペン先部の一方の磁極を帯びている部分と他方の磁極を帯びている部分とが転動することで交互にその表示体に転接するようにしたこととしてある。なお、この場合、ペン先部を、球状、円盤状、車輪状、あるいは円柱状の永久磁石により構成してもよいが、ペン先部を、非磁性材製の転動体と、この転動体の外周に設けた永久磁石とを備えたものにしてもよい。この場合、転動体の形状は、球状、円盤状、車輪状、円柱状など、種々のものが考えられる。
【００１２】
また、請求項４の発明に係る筆記具を、磁性体と流体を内含し、その磁性体を磁気力で変位させることで、画面に前記磁性体を表出し得る表示体に使用する筆記具であって、筆記具本体と、その筆記具本体に設けられ、間欠的に磁気力を表出するペン先部とを備えていることとしてある。
【００１３】
加えて、請求項５の発明に係る筆記具を、請求項４記載の筆記具において、前記ペン先部が、電磁石を主体に構成されたものであって、前記電磁石へ電流を供給する電源部と電源が交互に入り状態と切り状態となるように制御する制御部を備えたこととしてある。
【００１４】
そして、請求項６の発明に係る筆記具を、請求項４記載の筆記具において、前記ペン先部が磁気力表出部と磁気力非表出部とを有し、前記表示体との転接により転動し得るものであり、その磁気力表出部とその磁気力非表出部とがそのペン先部の転動により交互にその表示体に転接するようにしたこととしてある。なお、この場合、ペン先部は、球状、円盤状、車輪状、あるいは円柱状のものにしておくのがよい。
【００１５】
また、請求項７の発明に係る筆記具を、請求項６記載の筆記具において、前記ペン先部が永久磁石を主体に構成されたものであって、前記永久磁石表面を部分的に非透磁性材料で被覆することで、非被覆されている部分を磁気力表出部とし、被覆されている部分を磁気力非表出部としたこととしてある。
【００１６】
請求項１乃至３に係る発明の筆記具は、一方の磁極と他方の磁極とに相異なる色を施した磁性体を色表示要素として内含し、その色表示要素を磁気力で変位させることで、画面に前記色表示要素を表出し得る表示体に使用することができる。
【００１７】
すなわち、前述した請求項１に係る発明の構成によれば、その筆記具のペン先部を表示体の表面部材側に接しながら移動させると、その移動時におけるペン先部の磁極の磁気力によってその表示体に内含されている磁性体が反応し、その磁性体はそのペン先部の磁極と反対の磁極側が表示体に表出することになる。この場合、ペン先部に交互に一方の磁極と他方の磁極とが表出するので、その筆記具の移動の軌跡に沿って、一方の磁極側の磁性体と他方の磁極側の磁性体とが交互に画面に表出することになる。その結果、一方又は他方の磁極側が表出した磁性体が間隔をおいて点在することで構成される点線や破線が目視可能となる。したがって、筆記具のペン先部を表示体の画面に接したままで煩雑な動作を行うことなく点線や破線を容易に描画することが出来る。
【００１８】
請求項２に係る発明のように、筆記具のペン先部を電磁石で構成して、そのペン先部へ電流を供給する電源部と電流の方向を制御する制御部とを備えてなるものにしておけば、電源部から電磁石たるペン先部へ一の方向に電流が流れることで、そのペン先部が磁化されて一方の磁極を表出する一方、その電源部から電磁石たるペン先部へ他の方向に電流が流れることで、そのペン先部が磁化されて他方の磁極を表出することになる。そのため、制御部が電源部から供給される電流の流れる方向を、交互に一の方向と他の方向とする一定の時間間隔を制御することで、容易にペン先部に一方の磁極と他方の磁極とを交互に表出させることが可能になる。
【００１９】
請求項３に係る発明のように、ペン先部を表示体との転接により転動する永久磁石を主体に構成しておけば、筆記具のペン先部を表示体に転接するように移動させることで、ペン先部における一方の磁極を帯びている部分と、他方の磁極を帯びている部分が交互に表示体に接することになる。そのため、この筆記具の移動の軌跡に沿って画面上に一方の磁極側が表出した磁性体と他方の磁極側が表出した磁性体とが交互に並ぶことになる。その結果、一方又は他方の磁極側が表出した磁性体が間隔をおいて点在することで構成される点線や破線が目視可能となる。したがって、筆記具のペン先部を表示体の画面に転接したままで煩雑な動作を行うことなく点線や破線を容易に描画することが出来る。
【００２０】
一方、請求項４乃至７に係る発明の筆記具は、磁性体と流体を内含し、その磁性体を磁気力で変位させることで、画面に前記磁性体を表出し得る表示体に使用するものである。
【００２１】
すなわち、請求項４に係る発明の構成によれば、そのペン先部をその表示体の表面部材側に接しながら筆記具を移動させると、その移動時におけるペン先部の磁極の磁気力によって、その表示体に内含されている磁性体が反応して、画面側に表出すると共に、ペン先部の磁気力が間欠的に表出しているので、ペン先部が磁気力を表出していた位置における表示体の磁性体のみが画面に表出することになる。その結果、その筆記具の移動による画面上の軌跡に沿って、磁性体が表出した地点が間隔をおいて点在することで構成される点線や破線が目視可能となり、筆記具のペン先部を表示体の画面に接したままで煩雑な動作を行うことなく点線や破線を容易に描画することが出来る。
【００２２】
請求項５に係る発明の筆記具は、ペン先部を電磁石で構成し、そのペン先部へ電流を供給する電源部と、電源が交互に入り状態と切り状態となるように制御する制御部とを備えたものにしているので、制御部がペン先部へ電流を供給する電源部の電源を交互に入り状態と切り状態とする一定の時間間隔を制御することで、容易にペン先部の磁気力を間欠的に表出することが可能になる。
【００２３】
請求項６に係る発明の筆記具は、ペン先部を磁気力表出部と磁気力非表出部とを有するように構成し、前記表示体との転接により転動し得るようにしたものであるため、その磁気力表出部とその磁気力非表出部とがそのペン先部の転動により交互にその表示体に転接することになる。そのため、そのペン先部が表示体に転接するように筆記具を移動させることで、ペン先部が転動し、そのペン先部に磁気力表出部と磁気力非表出部とが交互に表れ、その筆記具の移動の軌跡に沿って磁気力表出部が転接した位置における表示体の磁性体のみが画面に表出することとなる。その結果、その筆記具の移動による画面上の軌跡に沿って、磁性体が表出した部分が間隔をおいて点在することにより構成される点線や破線が目視可能となり、筆記具のペン先部を表示体の表面部材側に転接したままで煩雑な動作を行うことなく点線や破線を容易に描画することが出来る。
【００２４】
請求項７に係る発明の構成によれば、永久磁石の表面を部分的に非透磁性材料で被覆するだけで、請求項６に係る発明の筆記具におけるペン先部を容易に作成することが出来る。
【００２５】
【発明の実施の形態】
図１において、本発明に係る筆記具の使用状態を説明する。符号１は、筆記具を示し、符号２は、磁性体を内含し、その磁性体を磁気力で変位させることで画面に磁性体を表出し得る表示体を示し、表示体２の画面上に筆記具１の先端を接しながら筆記具１を矢印の方向へ移動させることで、容易に点線や破線を描画することが可能になる。
【００２６】
以下、図２及び図３を参照しつつ、本発明の第１実施例について説明する。
【００２７】
筆記具１は、図２に示すように、筆記具本体１１と、その筆記具本体１１の先端に位置するペン先保持部１３によって保持されているペン先部１２とから形成されている。ペン先部１２は、鉄芯等からなる磁性体１２１とその磁性体１２１に巻装した絶縁銅線のコイル１２２とからなる電磁石で構成されている。また、ペン先部１２は、筆記具１の最先端に位置し、表示体２の表面部材２１に摺接する摺接部１２３を有している。
【００２８】
そして、コイル１２２はペン先部１２へ電流を供給する電源部Ａに、電流の流れる方向を制御する制御部Ｂを介して接続されている。尚、電源部Ａ、及び制御部Ｂは筆記具１内に搭載されておれば良く、筆記具本体１１、又はペン先保持部１３のいずれかのみに搭載されていてもかまわず、その搭載態様は限定されない。
【００２９】
表示体２は、ＰＥＴフィルム等で成形される表面部材２１と、その表面部材２１に対向する裏面部材２２と、これら表面部材２１と裏面部材２２との間にハニカム構造で区画され縦横に配列してなる複数の区画部２３とから構成され、その区画部２３内に一方の磁極３Ａと他方の磁極３Ｂとに相異なる色素を施した磁性体３を色表示要素として内含している。色素要素の色は特に限定されないが、ここでは、一方の磁極３Ａ側を白色、他方の磁極３Ｂ側を緑色若しくは黒色とする。磁性体３は、区画部２３内で流体の中におかれ、外方より磁気力を受けることで転動する。この結果、色表示要素たる磁性体３が変位して画面たる表面部材２１側に表出する状態となる。色表示要素は、描画される文字、図形等を構成する要素となる。ちなみに、表示体２は、緑色若しくは黒色の背景に白色で描画する黒板としても、白色の背景に緑色若しくは黒色で描画するホワイトボードとしても利用可能である。なお、ここで、少なくとも表面部材２１は透光性、及び透磁性を有していることが好ましい。
【００３０】
図３において、電磁石により構成されたペン先部１２、電源部Ａ、及び制御部Ｂの関係について説明する。ペン先部１２のコイル１２２に電源部Ａから電流を流すと、コイル１２２内に磁束が発生し、そのコイル１２２内の磁性体１２１が磁化されることにより、磁性体１２１から磁気力が発生する。ここで磁性体１２１は全ての物質が該当するが、特に鉄、ニッケル、又はコバルトが強い磁性を示し好ましい。
【００３１】
そして、電源部Ａから供給される電流の流れる方向が一の方向の場合、ペン先部１２の摺接部１２３には一方の磁極が表出し、また、電源部Ａから供給される電流の流れる方向が他の方向の場合、この摺接部１２３は他方の磁極が表出することとなる。ここで、特に磁極は限定されないが、以下、一方の磁極をＮ極、他方の磁極をＳ極として説明する。
【００３２】
そして、制御部Ｂが電源部Ａから供給される電流の流れる方向を、交互に一の方向と他の方向とする一定の時間間隔を制御することで、図２に示すように容易にペン先部１２の摺接部１２３から一方の磁極と他方の磁極とを交互に表出することが可能となる。
【００３３】
そして、摺接部１２３が表示体２の表面部材２１に摺接しながら筆記具１を表面部材２１上で移動させると、その移動時における摺接部１２３に係る磁極の磁気力によって、その表示体２に内含されている磁性体３が反応し、摺接部１２３の磁気力がＮ極の場合には、磁性体３のＳ極３Ｂ側が表面部材２１に表出し、また、摺接部１２３の磁極がＳ極の場合には、磁性体３のＮ極３Ａ側が表面部材２１に表出することになる。
【００３４】
ここで、磁性体３の白色に施されたＮ極３Ａ（又は、緑色若しくは黒色に施されたＳ極３Ｂ）側を背景としている表示体２上に、筆記具１が表面部材２１上を移動した軌跡に沿って表面部材２１上にＮ極３Ａ側が表出した磁性体３と、Ｓ極３Ｂ側が表出した磁性体３とが交互に間隔をおいて並ぶことにより、表面部材２１上に緑色若しくは黒色に施されたＳ極３Ｂ（又は、白色に施されたＮ極３Ａ）側が表出した磁性体３から構成される点線や破線を目視可能となるので、筆記具１のペン先部１２を表示体２の表面部材２１上に摺接したままで煩雑な動作を行うことなく点線や破線を容易に描画することが出来る。
【００３５】
なお、制御部Ｂが制御する電源部Ａから供給される電流の流れる方向を交互に一の方向と他の方向とする時間間隔を調節する調節部を追加することで、種々の点線や破線を描画することも可能となる。調節のパターンを多様化しておけば、一点鎖線や二点鎖線なども描くことができる。また、筆記具１の表示体２に対する移動速度を検出するための速度検出手段をさらに付加すれば、その移動速度に同期させて電流調節を行うことも可能である。このようにしておけば、筆記具１の移動速度の如何にかかわらず、正確な点線や破線あるいは各種鎖線などを描くことが可能になる。
【００３６】
次に図４及び図５を参照しつつ、本発明の第２実施例を説明する。
【００３７】
ペン先部１２は、表示体２との転接により転動する球状の永久磁石で構成されており、ペン先保持部１３に形成された凹部１３１内に収納されている。
【００３８】
そして、ペン先部１２の先端側が、ペン先保持部１３のリング状の先端部１３２によって包みこまれるように支持されると共に、ペン先部１２の後端側が、この凹部１３１内に配置され一端がこの凹部１３１の内壁１３３に当接しているバネ１３４の他端に当接することで、ペン先部１２は、ペン先保持部１３に転動自在に保持されると共に、ペン先部１２はバネ１３４の付勢力を受けることで、表面部材２１と所定の押圧力で圧接することが可能となる。
【００３９】
尚、ペン先部１２は、円盤状、車輪状、あるいは円柱状等の表示体２との転接により転動し得る形状の永久磁石で構成してもよい。
【００４０】
また、ペン先部を円盤状、車輪状、あるいは円柱状等であって、表示体２との転接により転動し得る非磁性材製の転動体と、この転動体の外周に設けた永久磁石とを備えたものにしてもよい。
【００４１】
加えて、図５においてペン先部１２を説明すると、球状のペン先部１２は、一方の磁極を帯びている部分と他方の磁極を帯びている部分とを備えている。
【００４２】
そして、前記一方の磁極を帯びている部分と前記他方の磁極を帯びている部分との構成比率、及び構成位置は任意である。
【００４３】
第２実施例では、一方の磁極を帯びている部分と他方の磁極を帯びている部分との構成比率を略１対１とし、Ｎ極を帯びている部分をＮ極部分１２Ａとし、Ｓ極を帯びている部分をＳ極部分１２Ｂとしている。また、構成位置については、一方の半球に係る部分を前記Ｎ極部分１２Ａとし、他方の半球に係る部分を前記Ｓ極部分１２Ｂとして、以下、説明する。
【００４４】
図４において、表示体２は、第１実施例にかかる表示体２と同じ構成のため説明は省略するが、ペン先部１２を表示体２の表面部材２１に当接させたまま、筆記具１を移動させることで、表面部材２１と当接するペン先部１２の転接部１２ｃと、その転接部１２ｃに対応する表面部材２１の被転接部との摩擦抵抗により、ペン先部１２が転動する。
【００４５】
その結果、Ｎ極部分１２ＡとＳ極部分１２Ｂとが交互に、白色に施されたＮ極３Ａ（又は、緑色若しくは黒色に施されたＳ極３Ｂ）側が表面部材２１に表出した磁性体３を背景としている表示体２の表面部材２１に、転接するので、その筆記具１の移動の軌跡に沿って表面部材２１に、Ｎ極３Ａ側が表出した磁性体３とＳ極３Ｂ側が表出した磁性体３とが交互に並ぶことにより、表面部材２１に緑色若しくは黒色に施されたＳ極３Ｂ（又は、白色に施されたＮ極３Ａ）側が表出した磁性体３が間隔をおいて点在することで構成される点線や破線を目視可能となるので、筆記具１のペン先部１２を表示体２の表面部材２１に転接したままで煩雑な動作を行うことなく点線や破線を容易に描画することが出来る。
【００４６】
さらに図６及び図７を参照しつつ、本発明の第３実施例について説明する。
【００４７】
筆記具１は、図６に示すように、筆記具本体１１とその筆記具本体１１の先端に位置するペン先保持部１３によって保持されているペン先部１２とから形成されている。ペン先部１２は、鉄芯等からなる磁性体１２１とその磁性体１２１に巻装した絶縁銅線のコイル１２２とからなる電磁石で構成されている。また、ペン先部１２は筆記具１の最先端に位置し、表示体２に摺接する摺接部１２３を有している。
【００４８】
そして、コイル１２２はペン先部１２へ電流を供給する電源部Ａに電源が交互に入り状態と切り状態となるように制御する制御部Ｂを介して接続されている。尚、電源部Ａ、及び制御部Ｂは筆記具１内に搭載されておれば良く、筆記具本体１１、又はペン先保持部１３のいずれかのみに搭載されていてもかまわず、その搭載態様は限定されない。
【００４９】
表示体２は、ＰＥＴフィルム等で成形され、表面部材２１とその表面部材２１に対向する裏面部材２２と、表面部材２１と裏面部材２２との間にハニカム構造で区画され縦横に配列してなる複数の区画部２３とから構成され、その区画部２３内に磁性体３と流体とを内含している。磁性体３は、区画部２３内で流体の中におかれ、外方より磁気力を受けると磁性体３はその外方へ引き寄せられる。その結果、磁性体３は、表面部材２１上から永久磁石等の磁気力を受けることで変位し、画面たる表面部材２１側に引き寄せられて表出することで、目視可能な状態となり、描画される文字、図形等を構成する要素となる。なお、ここで、少なくとも表面部材２１は透光性、及び透磁性を有していることが好ましい。
【００５０】
図７において、電磁石たるペン先部１２、電源部Ａ、及び制御部Ｂの関係について説明する。ペン先部１２のコイル１２２に電源部Ａから電流を流すと、コイル１２２内に磁束が発生し、そのコイル１２２内の磁性体１２１が磁化されることにより、磁性体１２１から磁気力が発生する。ここで磁性体１２１は全ての物質が該当するが、特に鉄、ニッケル、又はコバルトが強い磁性を示し好ましい。
【００５１】
そして、電源部Ａの電源を入り状態とすると、電源部Ａから供給される電流がペン先部１２へ流れてペン先部１２の摺接部１２３に磁気力が表出し、また、電源部Ａの電源を切り状態とすると、電源部Ａから供給される電流がペン先部１２に流れず、摺接部１２３に磁気力が非表出となる。
【００５２】
その為、制御部Ｂがペン先部１２へ電流を供給する電源部Ａの電源を交互に入り状態と切り状態とする一定の時間間隔で制御することで、図６に示すように容易にペン先部１２の摺接部１２３から磁気力を間欠的に表出することが可能となる。
【００５３】
そして、摺接部１２３が表示体２の表面部材２１に摺接しながら筆記具１を表示体２上で移動させると、その移動時における摺接部１２３に係る磁極の磁気力によって、その表示体２に内含されている磁性体３が反応して、画面たる表面部材２１側に引き寄せられて表出する。
【００５４】
その結果、表示体２上において、筆記具１が移動した軌跡に沿って表面部材２１側に引き寄せられ表出した磁性体３が間隔をおいて点在することで構成される点線や破線を目視可能となるので、筆記具１のペン先部１２を表示体２の表面部材２１上を摺接したままで煩雑な動作を行うことなく点線や破線を容易に描画することが出来る。
【００５５】
なお、制御部Ｂが制御する電源Ａの電源を交互に入り状態と切り状態とする時間間隔を調節する調節部を制御部Ｂに追加することで、種々の点線や破線を描画することも可能となる。調節のパターンを多様化しておけば、一点鎖線や二点鎖線なども描くことができる。また、筆記具１の表示体２に対する移動速度を検出するための速度検出手段をさらに付加すれば、その移動速度に同期させて電流調節を行うことも可能である。このようにしておけば、筆記具１の移動速度の如何にかかわらず、正確な点線や破線あるいは各種鎖線などを描くことが可能になる。
【００５６】
さらに図８及び図９を参照しつつ、本発明の第４実施例について説明する。
【００５７】
ペン先部１２は、図８に示すように、表示体２との転接により転動する球状のものであり、ペン先保持部材１３に形成された凹部１３１内に収納されている。そして、ペン先部１２の先端側が、ペン先保持部１３のリング状の先端部１３２によって包みこまれるように支持されると共に、ペン先部１２の後端側が、この凹１３１部内に配置され一端がこの凹部１３１の内壁１３３に当接しているバネ１３４の他端に当接することで、ペン先部１２は、ペン先保持部１３に転動自在に保持されると共に、ペン先部１２はバネ１３４の付勢力を受けることで、表示体２１と所定の押圧力で圧接することが可能となる。
【００５８】
ペン先部１２は、図９に示すように、磁気力を表出している部分と磁気力を表出していない部分とを有している。以下、前記磁気力を表出している部分を磁気力表出部１２ｘとし、前記磁気力を表出していない部分を磁気力非表出部１２ｙとして説明する。
【００５９】
ペン先部１２は、円盤状、車輪状、あるいは円柱状等、表示体２との転接により転動し得る形状であればよいが、この第４実施例のペン先１２は、球状をなしている。
【００６０】
具体的には、ペン先部１２が、永久磁石を主体に構成した転動体と、この転動体の表面を部分的に被覆（コーティング）する鉛等の非透磁性材料とを備えたものとする。その場合は、前記非透磁性材料が非被覆されている部分が磁気力表出部１２ｘとなり、前記非透磁性材料が被覆されている部分を磁気力非表出部１２ｙとなる。
【００６１】
また、ペン先部１２の磁気力表出部１２ｘが、永久磁石を主体に構成され、磁気力非表出部１２ｙが、鉛、樹脂、木、又はステンレス等の非磁性材で構成されていてもよい。
【００６２】
さらにまた、ペン先部１２が、鉛、樹脂、木、又はステンレス等の非磁性材製で構成した転動体と、前記転動体の表面に部分的に設けた永久磁石とを備えたものでもよい。その場合には、前記永久磁石を設けた部分が磁気力表出部１２ｘとなり、前記永久磁石を設けなかった部分が磁気力非表出部１２ｙとなる。
【００６３】
尚、ペン先部１２における磁気力表出部１２ｘと磁気力非表出部１２ｙの構成比率、及び構成位置は任意である。ちなみに第４実施例では、ペン先部１２における磁気力表出部１２ｘと磁気力非表出部１２ｙの構成比率を略１対１としている。また、第４実施例の構成位置については、一方の半球に係る部分を磁気力表出部１２ｘとし、他方の半球に係る部分を磁気力非表出部１２ｙとしている。
【００６４】
図８において、表示体２は、第３実施例にかかる表示体２と同じ構成のため説明は省略するが、ペン先部１２を表示体２の表面部材２１に転接させたまま、筆記具１を移動させることで、表面部材２１と転接しているペン先部１２の転接部１２ｃと、その転接部１２ｃに対応する表面部材２１の被転接部との摩擦抵抗により、ペン先部１２自体が転動する。
【００６５】
その結果、磁気力表出部１２ｘと磁気力非表出部１２ｙとが交互にその表示体２の表面部材２１に転接するので、その筆記具１の移動の軌跡に沿って表面部材２１側に引き寄せられた磁性体３が表出することになる。
【００６６】
ここで、表示体２上において、筆記具１が移動した軌跡に沿って表面部材２１側に引き寄せられ表出した磁性体３が間隔をおいて点在することで構成される点線や破線を目視可能となるので、筆記具１のペン先部１２を表示体２の表面部材２１側に転接したままで煩雑な動作を行うことなく点線や破線を容易に描画することが出来る。
【００６７】
【発明の効果】
一方の磁極と他方の磁極とに相異なる色素を施した磁性体を色表示要素として内含し、その色表示要素を磁気力で変位させることで、画面に前記色表示要素を表出し得る表示体に使用する筆記具であって、筆記具本体とその筆記具本体に設けられ、一方の磁極と他方の磁極とが交互に表出するペン先部とを備えているので、筆記具のペン先部を表示体の表面部材側に接したままで煩雑な動作を行うことなく点線や破線を容易に描画することが出来る。
【００６８】
また、磁性体と流体を内含し、その磁性体を磁気力で変位させることで、画面に前記磁性体を表出し得る表示体に使用する筆記具であって、筆記具本体と、その筆記具本体に設けられ、間欠的に磁気力を表出するペン先部とを備えているので、筆記具のペン先部を表示体の表面部材側に接したままで煩雑な動作を行うことなく点線や破線を容易に描画することが出来る。
【図面の簡単な説明】
【図１】本発明の筆記具の使用状態を示す説明図である。
【図２】本発明の第１実施例を示す断面図である。
【図３】同実施例に係る筆記具の機器構成図である。
【図４】本発明の第２実施例を示す断面図である。
【図５】同実施例に係る筆記具のペン先部の斜視図である。
【図６】本発明の第３実施例を示す断面図である。
【図７】同実施例に係る筆記具の機器構成図である。
【図８】本発明の第４実施例を示す断面図である。
【図９】同実施例に係るペン先部の斜視図である。
【符号の説明】
１  筆記具
１１  筆記具本体
１２  ペン先部
１２３  摺接部
１２Ａ  一方の磁極に帯びている部分
１２Ｂ  他方の磁極に帯びている部分
１２ｃ  転接部
１２ｘ  磁気力表出部
１２ｙ    磁気力非表出部
１３  ペン先保持部
２  表示体
２１  表面部材
２２  裏面部材
２３  区画部
３  磁性体
３Ａ  一方の磁極
３Ｂ  他方の磁極
Ａ  電源部
Ｂ  制御部
【図１】
2004299233.tif 000003
【図２】
2004299233.tif 000004
【図３】
2004299233.tif 000005
【図４】
2004299233.tif 000006
【図５】
2004299233.tif 000007
【図６】
2004299233.tif 000008
【図７】
2004299233.tif 000009
【図８】
2004299233.tif 000010
【図９】
2004299233.tif 000011